【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
第１の正の接点から電気的に絶縁された第１の負の接点を含む第１のデュアルコンタクトアセンブリーを備え、前記第１の負の接点及び前記第１の正の接点は、第１の電池が電池レセプタクルシステムにおいて第１の方向にある場合に、前記第１の電池の第１の正極が前記第１の負の接点と電気的に接続することなく前記第１の正の接点が前記第１の電池の前記第１の正極と電気的に接続し、前記第１の電池が前記電池レセプタクルシステムにおいて前記第１の方向とは異なる第２の方向にある場合に、前記第１の電池の第１の負極が前記第１の正の接点と電気的に接続することなく前記第１の負の接点が前記第１の電池の前記第１の負極と電気的に接続し、前記第１の電池とは異なる標準サイズの第２の電池が前記電池レセプタクルシステムにおいて前記第１の方向にある場合に、前記第２の電池の第２の正極が前記第１の負の接点と電気的に接続することなく前記第１の正の接点が前記第２の電池の前記第２の正極と電気的に接続し、前記第２の電池が前記電池レセプタクルシステムにおいて前記第２の方向にある場合に、前記第２の電池の第２の負極が前記第１の正の接点と電気的に接続することなく前記第１の負の接点が前記第２の電池の前記第２の負極と電気的に接続するように構成される、電池レセプタクルシステム。
【請求項２】
前記第１の方向の前記第１の電池の第１の長手方向の軸が前記第２の方向の前記第１の電池の長手方向の軸と同じであり、
前記第１の方向の前記第２の電池の第２の長手方向の軸が前記第２の方向の前記第２の電池の長手方向の軸と同じである請求項１に記載のシステム。
【請求項３】
前記第１の長手方向の軸が前記第２の長手方向の軸と垂直に整列される請求項２に記載のシステム。
【請求項４】
前記第１のデュアルコンタクトアセンブリーは、
第１の位置において前記第１の正の接点と電気的に接続するために前記第１の電池の前記第１の正極を配置する、第１の放射状ノッチと、
前記第１の位置とは異なる第２の位置において前記第１の正の接点と電気的に接続するために前記第２の電池の前記第２の正極を配置する、第２の放射状ノッチと
をさらに含み、前記第２の放射状ノッチは、前記第１の電池の前記第１の正極が前記第２の位置において前記第１の正の接点と電気的に接続することを防ぐように構成される請求項１に記載のシステム。
【請求項５】
前記第１の放射状ノッチは第１の半径を有し、前記第２の放射状ノッチは前記第１の半径よりも小さい第２の半径を有し、前記第２の放射状ノッチは前記第１の放射状ノッチを中断する請求項４に記載のシステム。
【請求項６】
前記第１の半径は約２．７５ミリメートルであり、前記第２の半径は約１．９ミリメートルである請求項５に記載のシステム。
【請求項７】
第２の正の接点から電気的に絶縁された第２の負の接点を含む第２のデュアルコンタクトアセンブリーをさらに備え、前記第２の負の接点及び前記第２の正の接点は、前記第１の電池が電池レセプタクルシステムにおいて前記第１の方向にある場合に、前記第１の電池の前記第１の負極が前記第２の正の接点と電気的に接続することなく前記第２の負の接点が前記第１の電池の前記第１の負極と電気的に接続し、前記第１の電池が前記電池レセプタクルシステムにおいて前記第２の方向にある場合に、前記第１の電池の第１の正極が前記第２の負の接点と電気的に接続することなく前記第２の正の接点が前記第１の電池の前記第１の正極と電気的に接続し、前記第２の電池が前記電池レセプタクルシステムにおいて前記第１の方向にある場合に、前記第２の電池の前記第２の負極が前記第２の正の接点と電気的に接続することなく前記第２の負の接点が前記第２の電池の前記第２の負極と電気的に接続し、前記第２の電池が前記電池レセプタクルシステムにおいて前記第２の方向にある場合に、前記第２の電池の前記第２の正極が前記第２の負の接点と電気的に接続することなく前記第２の正の接点が前記第２の電池の前記第２の正極と電気的に接続するように構成される請求項１に記載のシステム。
【請求項８】
前記第１のデュアルコンタクトアセンブリーと前記第２のデュアルコンタクトアセンブリーとの間の距離を調整する移動アセンブリーをさらに備え、前記第１のデュアルコンタクトアセンブリー及び／又は前記第２のデュアルコンタクトアセンブリーは、前記第１の電池が前記第１のデュアルコンタクトアセンブリー及び前記第２のデュアルコンタクトアセンブリーと電気的に接続することを可能にするように、第１の位置に対して前記移動アセンブリーを介して調整可能であり、前記第１のデュアルコンタクトアセンブリー及び／又は前記第２のデュアルコンタクトアセンブリーは、前記第２の電池が前記第１のデュアルコンタクトアセンブリー及び前記第２のデュアルコンタクトアセンブリーと電気的に接続することを可能にするように、前記第１の位置とは異なる第２の位置に対して前記移動アセンブリーを介して調整可能である請求項７に記載のシステム。
【請求項９】
第２の正の接点から電気的に絶縁された第２の負の接点を含む第２のデュアルコンタクトアセンブリーであって、前記第２の負の接点及び前記第２の正の接点は、前記第１の電池が前記電池レセプタクルシステムにおいて前記第１の方向にある場合に、前記第１の電池の前記第１の負極が前記第２の正の接点と電気的に接続することなく前記第２の負の接点が前記第１の電池の前記第１の負極と電気的に接続し、前記第１の電池が前記電池レセプタクルシステムにおいて前記第２の方向にある場合に、前記第１の電池の前記第１の正極が前記第２の負の接点と電気的に接続することなく前記第２の正の接点が前記第１の電池の前記第１の正極と電気的に接続するように構成される、第２のデュアルコンタクトアセンブリーと、
第３の正の接点から電気的に絶縁された第３の負の接点を含む第３のデュアルコンタクトアセンブリーであって、前記第３の負の接点及び前記第３の正の接点は、前記第２の電池が前記電池レセプタクルシステムにおいて前記第１の方向にある場合に、前記第２の電池の前記第２の負極が前記第３の正の接点と電気的に接続することなく前記第３の負の接点が前記第２の電池の前記第２の負極と電気的に接続し、前記第２の電池が前記電池レセプタクルシステムにおいて前記第２の方向にある場合に、前記第２の電池の第２の正極が前記第３の負の接点と電気的に接続することなく前記第３の正の接点が前記第２の電池の前記第２の正極と電気的に接続するように構成され、前記第３のデュアルコンタクトアセンブリーは前記第１の電池の前記第１の正極が前記第３の正の接点と電気的に接続するのを防ぐように構成される、第３のデュアルコンタクトアセンブリーと
をさらに備える請求項１に記載のシステム。
【請求項１０】
前記第１の正の接点又は前記第１の負の接点と電気的に接続するように前記第２の電池を長手方向に保持するための作動可能な機構をさらに備える請求項１に記載のシステム。
【請求項１１】
前記作動可能な機構は、互いに向かって拡張するようにロードされバイアスされるばねである作動可能な保持アームを含む請求項１０に記載のシステム。
【請求項１２】
前記作動可能な保持アームは、前記第１の電池が前記電池レセプタクルシステムに挿入される場合に前記電池レセプタクルシステムのハウジングの凹部に後退するように構成される請求項１１に記載のシステム。